(57)【特許請求の範囲】
【請求項１】
小冊子のページを形成するために実質的にそれぞれの縦線で折り畳まれた又は折り畳み可能な複数のシート（３、４）を有する、小冊子の形態の本人確認（ＩＤ）書類（１）であって、
カバーシート（３）と、
前記カバーシート（３）に埋め込まれたＲＦＩＤ要素である電子データ記憶手段（６）と、
前記カバーシート（３）とは区別可能な、プラスチック材料の第１層（４１）及び第２層（４２）で形成されたデータシート（４）であって、当該データシート（４）は前記カバーシート（３）に対して内側に配置されており、対象者の本人確認データを保持するデータページ（４０１）と、前記カバーシート（３）に取り付けられた結合ページ（４０２）と、を規定するデータシート（４）と、を備え、
前記データシート（４）が可撓性材料の中間層（４３）をさらに備え、当該可撓性材料の中間層（４３）は、プラスチック材料製の前記第１層（４１）と前記第２層（４２）との間に挟み込まれ、少なくとも縦方向の折り目において前記第１層（４１）と前記第２層（４２）との間に延在しており、
前記シート（３、４）は、当該シート（３、４）の間でそれぞれの前記折り目において結合されている、本人確認書類（１）。
【請求項２】
前記データシート（４）が、前記カバーシート（３）にすぐ隣接する位置に配置されている、請求項１に記載の本人確認書類（１）。
【請求項３】
前記可撓性材料が、ポリエステルである又はポリエステルを含む、請求項１又は２に記載の本人確認書類（１）。
【請求項４】
前記プラスチック材料が、ポリカーボネートである又はポリカーボネートを含む、請求項１〜３のいずれか１項に記載の本人確認書類（１）。
【請求項５】
前記結合ページ（４０２）が前記カバーシート（３）に接着されている、請求項１〜４のいずれか１項に記載の本人確認書類（１）。
【請求項６】
前記データシート（４）が、少なくとも前記結合ページ（４０２）においてさらなる中間充填層（４４）を備え、当該中間充填層（４４）は、前記可撓性材料の中間層（４３）に隣接した位置に配置されてその厚さを補填し、ポリカーボネート製である、請求項１〜５のいずれか１項に記載の本人確認書類（１）。
【請求項７】
前記データシート（４）が、１以上のホログラムを含む１以上の偽造防止セキュリティ要素を保持する、請求項１〜６のいずれか１項に記載の本人確認書類（１）。
【請求項８】
前記１以上の偽造防止セキュリティ要素が前記縦方向の折り目に配置されている、請求項７に記載の本人確認書類（１）。
【請求項９】
前記偽造防止セキュリティ要素の１以上が、前記可撓性材料の中間層（４３）に配置されている、請求項７又は８に記載の本人確認書類（１）。
【請求項１０】
前記データページ（４０１）が０．５〜０．８ｍｍの範囲の厚さを有する、請求項１〜９のいずれか１項に記載の本人確認書類（１）。
【請求項１１】
前記結合ページ（４０２）が０．２〜０．５ｍｍの範囲の厚さを有する、請求項１〜１０のいずれか１項に記載の本人確認書類（１）。
【請求項１２】
前記電子データ記憶手段（６）が、前記データページ（４０１）に対して前記折り目の反対側に配置されている、請求項１〜１１のいずれか１項に記載の本人確認書類（１）。
【請求項１３】
前記カバーシート（３）が、Buckram布製の少なくとも１つの外側層（３１）と、内側の遊び紙層（３２）と、を備える、請求項１〜１２のいずれか１項に記載の本人確認書類（１）。
【請求項１４】
前記シート（３、４）は、当該シート（３、４）の間がそれぞれの前記折り目において縫い付けられている、請求項１〜１３のいずれか１項に記載の本人確認書類（１）。
【請求項１５】
パスポートである、請求項１〜１４のいずれか１項に記載の本人確認書類（１）。
【請求項１６】
請求項１〜１５のいずれか１項に記載の小冊子の形態の本人確認書類（１）の製造方法であって、前記本人確認書類（１）は、実質的にそれぞれの縦線において折り畳まれた又は折り畳み可能な複数のシート（３、４）を保持して、前記小冊子自体のページを形成する、方法において、
高温圧接着によって、前記可撓性材料の中間層（４３）のストリップを前記プラスチック材料の第２層（４２）に位置合わせして結合する工程と、
前記プラスチック材料の第１層（４１）を、前記可撓性材料の中間層（４３）に既に結合された前記第２層（４２）に貼り合わせる工程と、
１以上の前記データシート（４）を所望のサイズにするためにパンチングする工程と、
前記データシート（４）を前記小冊子の残りの部分に取り付ける工程と、を含み、
前記小冊子は、前記データシート（４）とは区別可能な、ＲＦＩＤ要素である電子データ記憶手段（６）を保持する前記カバーシート（３）を備え、
前記シートは、それらの間でそれぞれの前記折り目において結合され、
前記可撓性材料の中間層（４３）は、少なくとも前記縦方向の折り目において前記第１層（４１）と前記第２層（４２）との間に延在する、本人確認書類（１）の製造方法。
【請求項１７】
請求項１〜１５のいずれか１項に記載の小冊子の形態の本人確認書類（１）の製造方法であって、前記本人確認書類（１）は、実質的にそれぞれの縦線において折り畳まれた又は折り畳み可能な複数のシート（３、４、５）を保持して、前記小冊子自体のページを形成する、方法において、
（ａ）前記カバーシート（３）の１つの遊び紙層（３２）を、ＲＦＩＤ要素である電子データ記憶手段（６）を保持するインレー中間層（６００）と、前記データシート（４）の前記結合ページ（４０２）とに接着して複合層（８）を得る工程と、
（ｂ）前記複合層（８）を、前記小冊子のさらなるシート（５）と結合して組立構造体（９）を得る工程と、
（ｃ）前記組立構造体（９）を、前記遊び紙層（３２）において、前記カバーシート（３）の外側層（３１）に接着する工程と、を含み、
前記小冊子が、前記可撓性材料の中間層（４３）を有する前記データシート（４）を備え、前記可撓性材料の中間層（４３）は、プラスチック材料の前記第１層（４１）と前記第２層（４２）との間に挟み込まれ、少なくとも前記縦方向の折り目において前記第１層（４１）と前記第２層（４２）との間に延在しており、
前記シート（３、４）は、当該シート（３、４）の間でそれぞれの前記折り目において結合されている、本人確認書類（１）の製造方法。
【発明の詳細な説明】
【技術分野】
【０００１】
本発明は、本人確認（ＩＤ）書類、特に、対象者のＩＤデータを保持するプラスチック材料製の、例えばポリカーボネート製のページを有するタイプのいわゆる電子パスポートに関する。
【背景技術】
【０００２】
様々なタイプのいわゆる「電子的な」本人確認書類、すなわち、ＲＦＩＤデバイスの形態のチップを埋め込んだ書類、特にパスポートが公知である。こうした書類では、チップはポリカーボネート（ＰＣ）のページに収容されている。ポリカーボネートのページは、例えば印刷すなわちいわゆる「レーザ彫刻」によって得られる種々のすぐに読める形式で対象者のＩＤデータを保持しており、いずれにしても、暗号化された要素すなわちホログラムなどの認証手段を備え得る。
【０００３】
公知の書類の多くでは、上述のポリカーボネートのページは、通常はポリカーボネート製の自身の拡張部によって、通常は小冊子の形態の書類の残りの部分に結合され、この拡張部は、小さく突出する領域を有しており、小冊子自体の中心線でカバー及び／又は残りのページに縫い付けられている。欧州特許第１３８０４４２号明細書及び欧州特許第１７３１３２８号明細書には、ここで述べたタイプの書類が説明されている。ここで述べた文献の大きな欠点は、データページが高い剛性を有することであり、前記ページが極めて可撓性の高い別のページの間に挿入されていることを特に考慮すると、度重なる及び／又は著しいねじれ及び曲げによって応力が加えられたときに亀裂やクラッキングにより前記ページが破損しやすい。
【０００４】
上述の剛性はまた、データページを小冊子の残りの部分に結合するための結合形態を重要なものにする。
【０００５】
米国特許出願公開第２００８／０２８４１５５号明細書には、その代わりに、データページを保持する小冊子の形態のパスポートが説明されており、データページは、その間に可撓性層が部分的に挟み込まれた２つのポリカーボネート層によって製造される。可撓性層は、２つのポリカーボネート層を越えて延在して、データページが小冊子に縫い付けられる拡張部を形成する。
【０００６】
しかしながら、この場合、書類の残りの部分へのデータページの結合の耐久性をあまり高くすることができない。
【０００７】
さらに、公知の本人確認書類は、一般的に、その偽造の可能性に関して最適化され得る。
【発明の概要】
【０００８】
従って、本発明によって提示されて解決される技術的な課題は、公知の技術を参照して上述した欠点を克服することを可能にする本人確認書類、特にパスポートを提供することである。
【０００９】
こうした課題は、請求項１に係る本人確認書類によって解決される。本発明は、請求項１７又は１８に係る前記本人確認書類の製造方法にも関する。
【００１０】
本発明の好ましい特徴は従属請求項において提供される。
【００１１】
本発明は、いくつかの関連する利点を提供する。主要な利点の１つは、可撓性層がプラスチック材料のデータシートの縫い目領域に位置決めされることによって、書類の残りの部分にデータシートが最適に結合されることを可能にし、概して耐破壊性及び耐破損性に関する書類の全体的な機械的特性を大幅に改善することにある。さらに、データシートの拡張部をカバーの遊び紙に接着して、さらにそれらを一緒に他のページに縫い付けて、小冊子との結合の強度を高めるという利点をもたらす。
【００１２】
この点において、均質なプラスチック材料から形成されたデータページは、小冊子の形態の書類の内側にとじられ、例えばレーザ彫刻によっていずれにしてもカスタマイズ可能でありながら、再生不可能にするために複数のセキュリティ／偽造防止要素を保持することを可能にすることが具体的に考えられる。
【００１３】
さらに、データページから切り離された離れた位置で書類のカバー上にＲＦＩＤチップを配置することによって、同じポリカーボネート（ＰＣ）データページの内部にチップを包含する公知技術の書類よりも高いセキュリティ基準を保証する。実際、ポリカーボネート（ＰＣ）データページに記録されたデータと、カバーに挿入されたＲＦＩＤチップに記憶されたデータとが適合するかどうかの照合は、小冊子の２つの主要な要素の信頼性を保証するものであり、両要素を交換することによってのみ改ざんが可能である。
【００１４】
さらに、本発明に係る方法は、本人確認書類の迅速で単純で信頼性の高い製造を可能にする。
【００１５】
本発明の他の利点、特徴及び動作工程は、例示の目的で示されて限定を意図しない以下のいくつかの実施形態の詳細な説明から明らかとなる。
【図面の簡単な説明】
【００１６】
【図１】図１Ａ及び図１Ｂは、本発明の本人確認書類の好ましい実施形態を概略的に示す側面斜視図及び拡大側面図であり（図１Ｂでは、厚みを拡大しており、より明確にするために、必ずしも比例して示されていない）、小冊子形態にあるその構造を強調して示す図である。
【図２】図２Ａ〜図２Ｄは、図１Ａ及び図１Ｂの本人確認書類を組み立てるそれぞれの段階を示す斜視図である。
【図３】図３Ａ〜図３Ｄは、図１Ａ及び図１Ｂの本人確認書類を組み立てるそれぞれの段階を示す斜視図である。
【発明を実施するための形態】
【００１７】
初めに図１を参照すると、本発明の好適な実施形態に係る小冊子の形態の本人確認書類の全体を符号１で示す。
【００１８】
本例では、書類１は、いわゆる「電子」パスポートであり、すなわち、無線モードでデータを遠くに送信することができる記憶手段、符号６で示す通常はＲＦＩＤチップ、を埋め込んだタイプであって、アンテナ６０を備えるタイプのパスポートである。
【００１９】
書類１は、小冊子のページを形成するため、それぞれの縦線Ｌで折り畳まれて前記線でそれらの間を（縫い目として）縫い付けられた複数のシートから形成されている。本例では、折り目はシートの中心線に対応する。従って、各シートは、符号２で示す上述の縫い目からシート自体の中心線（小冊子の中心線に対応する）で分離された小冊子の２つのページを規定する。
【００２０】
特に、パスポート１は、その全体を符号３で示すカバーシートを有する。カバーシートは、ファブリック製の好ましくはBukram布製の外側層３１と、上述のチップ６及び関連のアンテナ６０を包含するとともに外側のファブリック層３１に接着された中間層、いわゆる「インレー」６００と、インレー６００に接着された内側遊び紙層３２と、を備える。前記３つの層を接着するプロセスを以下に説明する。
【００２１】
パスポート１は、カバーシート３とは区別可能なデータシート４をさらに有しており、このデータシート４は、カバーシート３に対して内側のカバーシート３にすぐ隣接する位置に配置されている。データシート４は、パスポート１の第１データページ４０１及び第２結合ページ４０２を規定する。
【００２２】
第１ページ４０１では、データシート４は、対象者の本人確認（ＩＤ）データ、通常はＩＣＡＯ標準のデータのみを保持する。そのようなデータはレーザ彫刻などによって印刷されてもよい。
【００２３】
第２ページ４０２では、データシート４は、以下に説明する接着プロセスによって、カバーシート３及び特に遊び紙用シート３２に接着される。
【００２４】
第２ページ４０２が、小冊子に接着されて縫い付けられ得る実データページ４０１の突出している領域であること、及び、こうした第２ページ４０２が、接着されるカバーページの全寸法又はほぼ全寸法に広がるような拡張部を有すること、が理解されよう。
【００２５】
特に、データシート４は、プラスチック材料、好ましくは薄いポリカーボネートの第１層４１及び第２層４２を備えており、これらの層の間には、可撓性材料製、好ましくはポリエステル製の第３層４３が挟み込まれている。
【００２６】
本例では、可撓性の第３層４３は、シート４の、前記縫い目２に関係するゾーンにのみ延在する。
【００２７】
従って、データシート４は、第２結合ページ４０２に、別の中間充填層４４を備えており、この中間充填層４４は、可撓性の第３層４３に隣接する位置に配置されて、その厚みを補填する。
【００２８】
好ましくは、この中間充填層４４は同様にプラスチック材料製、好ましくは薄いポリカーボネート製である。
【００２９】
概して、２つの層４１及び４２並びに充填層４４の双方とも、例えばいわゆる「プラスチックカード」の製造に好適なものなどの他の材料から形成されてもよい。
【００３０】
さらに、図１では、好ましくは同様にポリカーボネート製の、データページ４０１の別の層４５、４６、４７及び４８を示し、それらは、特定の本人確認要求に合わせて調整された好適な層数及び厚みにされている。
【００３１】
今のところ、一般に本例のサンドイッチ構造を作るために他の全てのプラスチック材料層、特に第１層４１及び第２層４２に貼り合わせられた可撓性の第３層４３が存在することによって、縫い目におけるプラスチック材料自体の剛性を低下させ、かつ、縫い付けることが可能な複合シートを得ることを可能にすることが、さらに理解されよう。
【００３２】
好ましくは、第１層４１は、縫い目２にまたがって印刷された１以上の安全／偽造防止要素を包含する。同様に、可撓性の中間層４３は、常に縫い目２にセキュリティホログラムを包含してよい。
【００３３】
特に、以下のセキュリティ要素の１以上によって、データページ４０１及び／又は結合ページ４０２の質を向上させてもよい：
・虹彩によるＵＶ石版印刷、
・ＵＶ蛍光印刷、
・ＯＶＩインクによるシルクスクリーン印刷、
・凹版印刷、
・セキュリティホログラム、
・レーザ彫刻による個人特定化（personalization）、及び／又は、
・マイクロライティング（micro-writing）によるエンボス加工。
【００３４】
パスポート１は、別のデータを保持又は受信しやすい、その全体を符号５で示す複数の内側シート／ページをさらに備える。
【００３５】
上述のように、パスポート１は、無線伝送用のアンテナを備える電子データ記憶手段、好ましくはＲＦＩＤチップ要素６をさらに備える。特に、上述のように、チップ６及びアンテナ６０は、いわゆる「インレー」層６００に埋め込まれており、このインレー層６００もカバーシート３に埋め込まれている。
【００３６】
図示の配置構成では、記憶手段６は、データページ４０１に対して縫い目の中心線の反対側にあるカバーシート３に位置決めされている。
【００３７】
データページ４０１に記録されたデータと、チップ６に記憶されているデータとを比較するオプションが、小冊子の２つの主要な本人確認要素の信頼性を保証することが理解されよう。
【００３８】
さらに、変形例の実施形態では、データページ４０１の内側に、小冊子が開いているとき（すなわち、制御動作及び本人確認動作で）のみ伝送信号に作用してＲＦＩＤチップ６の読み取りを可能にする回路を貼りつけることが可能である。こうした装置は、チップアンテナの共振周波数を遮断することによって、パスポート１が閉じられているときのチップ６の通信を妨げ、内部に入っている感知可能なデータへの不正アクセスを防止する。
【００３９】
データページ４０１及び結合ページ４０２の特定の製造モードに関して、データシート４の好ましい製造プロセスには以下の工程が想定される：
好ましくは高温圧接着（hot pressure gluing）により、可撓性層４３の材料ストリップを第２プラスチック層４２上に位置合わせして結合し、次いで、他の全ての層４１及び４４〜４８を１つにまとめて前記ストリップに対して位置合わせして取り付ける工程；
（可撓性層４３に既に結合されている）層４１、層４２、層４４〜４８の貼り合わせを、形作られたプレートによって実施し、かつ、データページ４０１と結合ページ４０２との厚みの違いを補填するために厚みを較正し、貼り合わせプレートは、位置合わせして他の要素、例えば凸版印刷や「陰画」におけるマイクロライティング又は他のグラフィック要素などを刻むことができる、工程；
結合ページ４０２を備えるパスポートサイズのポリカーボネートデータシートを形成するためにパンチングし、データページ４０１の最終的な厚さを、好ましくは約０．５〜０．８ｍｍの範囲に構成する一方、結合ページ４０２の最終的な厚さを、好ましくは約０．２〜０．５ｍｍの範囲に構成し、そのような厚さにすることによって、小冊子を過度に剛性にすることなく、材料の良好な機械抵抗を保証する、工程；及び、
データシート４を小冊子にひとまとめにする工程であって、この小冊子は、縫い付け、かつ、常温圧プロセスによって水性ポリウレタン又はビニル接着剤を使用して結合ページ４０２をカバー３に接着することによって得られる、工程であって、この同じ接着プロセスによって電子インレー（６＋６０）とカバーシート３の外面層３１との間を確実に結合する工程。
【００４０】
以下、本発明による小冊子、特に本明細書で説明するパスポート１の形態の本人確認書類の製造方法の好適な実施形態を説明する；そのような方法は、一連の接着工程に基づく。
【００４１】
この方法は、２つの後続のステップに適用され、それら各ステップは、複数の工程で構成され、それぞれを図２Ａ〜２Ｄ及び図３Ａ〜３Ｄに示す。
【００４２】
第１ステップによれば、図２Ａに示す第１工程において、ＲＦＩＤチップ６及びアンテナ６０を保持する上述のインレーシート６００を、ブロック化し、かつ、好ましくはポリウレタン接着剤又はビニル接着剤によって接着する。
【００４３】
図２Ｂに示す第２ステップによれば、そのように接着されたインレー層を、遊び紙層３２と位置合わせして結合し、そのような結合体をプレスして、それをブロック化し、それによって符号７で示す複合層を形成する。
【００４４】
その後、図２Ｃに示す第３ステップにおいて、複合層７の、パスポート１のページの拡張部に対応する部分であるその表面の半分に接着剤を塗布する。
【００４５】
次いで、図２Ｄに示す第４ステップにおいて、複合層７を、データシート４と位置合わせして結合し、その全体をプレスして、結合ページ４０２と遊び紙層３２との結合体をブロック化し、符号８で示す別の複合層を得る。
【００４６】
上述の第２ステップに基づき、図３Ａに示す第５工程では、複合層８を小冊子の折り畳まれたシート５と位置合わせしてひとまとめにして、符号９で示す組立体を得る。
【００４７】
図３Ｂに示す第６工程では、組立体９を、それ自体が公知である縫い目２を形成する機械に挿入し、符号９で示す組立構造体を得る。
【００４８】
次いで、図３Ｃに示す第７工程では、カバーシート３の外側層３１に接着剤を塗布する。
【００４９】
最後に、図３Ｄに示す第８工程では、縫い目２を備える組立構造体９とカバー層３１とを位置合わせして結合し、その全体をプレスして結合体をブロック化する。
【００５０】
本発明を、例示的かつ非排他的な好ましい実施形態を参照して本明細書に説明した。他の実施形態が存在してもよく、それらは全て同じ発明の概念内にあり、及びそれらは全て、以下の特許請求の保護範囲内で構成されることが理解される。
【図１】
0005896574.tif 000002
【図２】
0005896574.tif 000003
【図３】
0005896574.tif 000004